【手続補正書】
【提出日】平成22年3月10日(2010.3.10)
【手続補正１】
【補正対象書類名】特許請求の範囲
【補正対象項目名】請求項１
【補正方法】変更
【補正の内容】
【請求項１】
欠陥画素を補正する固体撮像素子において、
処理対象の画素の値と、前記処理対象の画素の値の周辺を取り囲む画素の値とを出力するラインメモリと、
前記ラインメモリから出力された、前記処理対象の画素より後に処理対象となる前記画素の値のうち、最も大きい前記画素の値と最も小さい前記画素の値とを実質的に除去する最大／最小値除去部と、
最も大きい前記画素の値と最も小さい前記画素の値とを除去した残りの前記画素の値と、前記ラインメモリから出力された、前記処理対象の画素より前に処理された前記画素の値との平均値を算出する平均値算出部と、
前記処理対象の画素の値と前記平均値算出部により算出された前記平均値との比較を行い、差分が予め定められたしきい値より大きい場合に、前記処理対象の画素の値を、前記平均値に置き換える比較処理部と、を有する信号処理部と、
を有することを特徴とする固体撮像素子。
【手続補正２】
【補正対象書類名】特許請求の範囲
【補正対象項目名】請求項４
【補正方法】変更
【補正の内容】
【請求項４】
欠陥画素を補正する固体撮像素子の画素補正方法において、
ラインメモリが、処理対象の画素の値と、前記処理対象の画素の値の周辺を取り囲む画素の値とを出力し、
最大／最小値除去部が、前記ラインメモリから出力された、前記処理対象の画素より後に処理対象となる前記画素の値のうち、最も大きい前記画素の値と最も小さい前記画素の値とを実質的に除去し、
平均値算出部が、最も大きい前記画素の値と最も小さい前記画素の値とを除去した残りの前記画素の値と、前記ラインメモリから出力された、前記処理対象の画素より前に処理された前記画素の値との平均値を算出し、
比較処理部が、前記処理対象の画素の値と前記平均値算出部により算出された前記平均値との比較を行い、差分が予め定められたしきい値より大きい場合に、前記処理対象の画素の値を、前記平均値に置き換える、
ことを特徴とする画素補正方法。
【手続補正３】
【補正対象書類名】明細書
【補正対象項目名】０００４
【補正方法】変更
【補正の内容】
【０００４】
しかし、従来の技術には以下のような問題があった。
図１１は、図１０を便宜上、同色画素のみの配列に書き換えた図である。図１１中、画素Ａ９０、Ａ９１、Ａ９２、Ａ９３、Ａ９４は、補正後の画素を示し、画素Ｂ９０、Ｂ９１、Ｂ９２、Ｂ９３、Ｂ９４は、補正前の画素を示し、画素Ｃ９０は注目画素を示している。
【手続補正４】
【補正対象書類名】明細書
【補正対象項目名】００１０
【補正方法】変更
【補正の内容】
【００１０】
比較処理部６は、処理対象の画素の値と平均値算出部５により算出された平均値との比較を行い、差分が予め定められたしきい値より大きい場合に、処理対象の画素の値を、平均値に置き換える。
【手続補正５】
【補正対象書類名】明細書
【補正対象項目名】００１１
【補正方法】変更
【補正の内容】
【００１１】
このような固体撮像素子１によれば、最大／最小値除去部４により、ラインメモリ２から出力された、処理対象の画素より後に処理対象となる画素の値のうち、最も大きい画素の値と最も小さい画素の値とが実質的に除去される。平均値算出部５により、最も大きい画素の値と最も小さい画素の値とを除去した残りの画素の値と、ラインメモリ２から出力された、処理対象の画素より前に処理された画素の値との平均値が算出される。比較処理部６により、処理対象の画素の値と平均値算出部５により算出された平均値との比較が行われ、差分が予め定められたしきい値より大きい場合に、処理対象の画素の値が、平均値に置き換えられる。
【手続補正６】
【補正対象書類名】明細書
【補正対象項目名】００２０
【補正方法】変更
【補正の内容】
【００２０】
除算部５ｄは、加算部５ｃにより加算された６つの画素の値の和を６で除算する。これにより、平均値が算出される。
比較処理部６は、処理対象の画素の値と平均値算出部５により算出された平均値との比較を行い、差分が予め定められたしきい値より大きい場合に、処理対象の画素Ｃの値を、平均値に置き換える。
【手続補正７】
【補正対象書類名】明細書
【補正対象項目名】００２１
【補正方法】変更
【補正の内容】
【００２１】
図１では、この処理を実現するために、比較処理部６は、比較部６ａと選択部６ｂとを有している。
比較部６ａは、除算部５ｄにより除算されて得られた平均値と処理対象の画素Ｃの値とを比較し、比較結果を出力する。この比較部６ａは入力された値の差分が一定のしきい値より大きい場合に出力を反転する。
【手続補正８】
【補正対象書類名】明細書
【補正対象項目名】００２３
【補正方法】変更
【補正の内容】
【００２３】
このような固体撮像素子１によれば、最大／最小値除去部４により、ラインメモリ２から出力された、処理対象の画素より後に処理対象となる画素の値のうち、最も大きい画素の値と最も小さい画素の値とが実質的に除去される。平均値算出部５により、最も大きい画素の値と最も小さい画素の値とを除去した残りの画素の値と、ラインメモリ２から出力された、処理対象の画素より前に処理された画素の値との平均値が算出される。比較処理部６により、処理対象の画素の値と平均値算出部５により算出された平均値との比較が行われ、差分が予め定められたしきい値より大きい場合に、処理対象の画素の値が、平均値に置き換えられる。
【手続補正９】
【補正対象書類名】明細書
【補正対象項目名】００３３
【補正方法】変更
【補正の内容】
【００３３】
まず、ＡＤＣ１８およびラインメモリ２１から注目画素（処理対象の画素）およびこの注目画素の同色周辺画素の値をライン単位で取得する（ステップＳ１）。
次に、取得した同色周辺画素の値のうち、ｒｇｂ処理部２２４によって処理された（補正後の）各画素の値をそれぞれ加算して加算値ａｋを得る（ステップＳ２）。
【手続補正１０】
【補正対象書類名】明細書
【補正対象項目名】００４８
【補正方法】変更
【補正の内容】
【００４８】
比較器３９は、除算器３８で除算された結果とラインメモリ２１から出力される注目画素ｃ０の値とを比較する。
具体的には、比較器３９は、除算器３８により除算されて得られた平均値と注目画素ｃ０の値とを比較し、比較結果を出力する。この比較器３９は入力された値の差分が一定のしきい値（欠陥判定しきい値Ｔｈに該当）より大きい場合に出力を反転（例えばＬｏ→Ｈｉ）する。
【手続補正１１】
【補正対象書類名】明細書
【補正対象項目名】００４９
【補正方法】変更
【補正の内容】
【００４９】
選択器４０は、除算器３８により除算されて得られた平均値と注目画素ｃ０の値とを、比較器３９の比較結果を参照することによって選択し、選択した値を注目画素ｃ１の補正後の値として出力する。すなわち、比較器３９から反転出力が入力された場合は、平均値を、注目画素ｃ１の補正後の値としてラインメモリ２１に格納する。一方、比較器３９からの出力が反転しなければ、注目画素ｃ０の当初の値を補正後の値としてラインメモリ２１に格納する。以後、注目画素ｃ１は、補正後の画素ａ１〜ａ４のいずれかを構成することになる。
【手続補正１２】
【補正対象書類名】図面
【補正対象項目名】図１
【補正方法】変更
【補正の内容】
【図１】
2008301142.tif 000001